(57)【要約】【課題】電子時計などの携帯型電子機器において、視認しやすい表示を行うと共に、低消費電力での表示を可能にすること。【解決部】電子時計２０１は、操作スイッチｓｗＢの操作によって、時刻表示モード（２−Ａ参照）から、時刻の修正などを行うデータセットモード（２−Ｂ、２−Ｃ参照）に移行する。データセットモードに入ると、修正対象である分１桁のセグメントが大きなフォントで表示されると共に大きな輝度で表示が行われ、他のセグメントは小さなフォントで表示されると共に低輝度で表示され（２−Ｂ）、修正対象セグメントを容易に認識できる。この状態で、操作スイッチｓｗＣを操作することにより、修正対象のセグメントが分１０桁セグメント、時１桁セグメント、時１０桁セグメントの順で変わると共に、各修正対象のセグメントのみが高輝度の大きなフォントで表示される。【選択図】    図３
2004251719.tif 000002
【特許請求の範囲】
【請求項１】
複数のセグメントを表示する表示手段を有する携帯型電子機器において、
前記複数のセグメント中のいずれかのセグメントを選択する操作手段と、前記操作手段によって選択されたセグメントの表示輝度が他のセグメントよりも大きくなるように前記表示手段を制御する表示輝度制御手段とを備えて成ることを特徴とする携帯型電子機器。
【請求項２】
経過時間を計時する計時手段を有し、前記表示輝度制御手段は、前記操作手段の操作に応答して前記セグメントの輝度が所定値まで大きくなるように前記表示手段を制御した後、前記計時手段が所定時間計時したときに該セグメントの輝度を所定値まで小さくするように前記表示手段を制御することを特徴とする請求項１記載の携帯型電子機器。
【請求項３】
前記表示輝度制御手段は、前記操作手段によって選択されたセグメントが点滅表示するように前記表示手段を制御すると共に、前記計時手段による経過時間が増加するにしたがって、前記セグメントの点灯時間比率を小さくするように前記表示手段を制御することを特徴とする請求項１又は２記載の携帯型電子機器。
【請求項４】
所定大きさの第１のセグメントと前記第１のセグメントよりも小さな所定大きさの第２のセグメントを選択的に前記表示手段に供給し、前記選択した大きさのセグメントが前記表示手段に表示されるように前記表示手段を制御するセグメント選択制御手段を有し、
前記セグメント選択制御手段は、前記操作手段で選択したセグメントを前記第１のセグメントで表示するように前記表示手段を制御すると共に、前記操作手段で選択していないセグメントを前記第２のセグメントで表示するように前記表示手段を制御することを特徴とする請求項１乃至３のいずれか一に記載の携帯型電子機器。
【請求項５】
前記表示輝度制御手段は、前記操作手段の操作に応答して点灯許容時間を表すインジケータを表示するように前記表示手段を制御すると共に、前記計時手段による経過時間が増加するにしたがって前記インジケータによって表示された点灯許容時間を減少するように前記表示手段を制御することを特徴とする請求項１乃至４のいずれか一に記載の携帯型電子機器。
【請求項６】
前記表示手段は前記計時手段で計時した時間を前記セグメントで表示すると共に、前記表示輝度制御手段は、前記操作手段の操作に応答して前記セグメントの輝度が所定値まで大きくなるように前記表示手段を制御した後、前記計時手段が所定時間計時したときに該セグメントの輝度を所定値まで小さくするように前記表示手段を制御することを特徴とする請求項２記載の携帯型電子機器。
【請求項７】
前記表示手段は、自発光型の表示装置によって構成されて成ることを特徴とする請求項１乃至６のいずれか一に記載の携帯型電子機器。
【発明の詳細な説明】
【０００１】
【発明の属する技術分野】
本発明は、時刻等を表示する電子時計等の携帯型電子機器に関し、特に、自発光型のデジタル表示装置を有する場合に好適な携帯型電子機器に関する。
【０００２】
【従来の技術】
従来、液晶パネル等の表示装置を搭載した携帯機器で時間データやその他のデータを表示させる際、パネルそのものの消費電力が非常に少ないため、常時オン状態で表示を行っているのが通常であるが、特許文献１記載の発明のように充電式電子時計において、発電量に応じて消費電力の異なる複数の時計動作状態から最適な１つの状態を選択して表示装置を駆動する発明がある。
夜間等の暗い環境下では表示を読み取るため、エレクトロ・ルミネッセンス（ＥＬ）や発光ダイオード（ＬＥＤ）等を液晶表示装置のバックライトとして使用し、操作スイッチ（ｓｗ）入力後のある一定時間、前記バックライトを点灯させていた。
【０００３】
この時の消費電力を抑えるために、特許文献２のようにバックライトを分割配置して、必要な部分のみ点灯するようにしていた。また、目的は異なるが特許文献３記載の発明では、通常照明用として低消費電力化のためパルス駆動するＬＥＤを標準時刻電波受信時にはノイズの関係から直流駆動させるようにしている。
一方、ＥＬや有機ＥＬ、ＬＥＤ等の自発光型の素子を表示装置として使用した場合、消費電力が比較的大きいため、常時オン状態で動作させることは商品価値の面から難しい。例えば、時計などの小型携帯機器に搭載される電池で常時オン動作させると、数時間〜数日で電池容量が無くなってしまい、実使用上使い物にならなくなってしまう。
また、特許文献４、特許文献５記載の発明のように、オン／オフする時刻を予め入力したり、光検出手段を用いて周りの明るさに応じて輝度を調節したり、たとえば表示スイッチを入力してから数秒間だけ表示動作を行い、その他のときは表示動作をオフさせて低消費電力化を図っている。
【０００４】
【特許文献１】
特開２００１−１５３９７２号公報（段落番号００４８〜００６０、表１）
【特許文献２】
特開２００２−１１６２６９号公報（段落番号００３１〜００３２、第６図）
【特許文献３】
特開２００１−７４８６４号公報（段落番号００７７〜００８０、第１９図）
【特許文献４】
特開２００１−２９６３７７号公報（段落番号０００９〜００１０、第１図）
【特許文献５】
特開２００１−２３５５６３号公報（段落番号００２５〜００２６、第２図）
【０００５】
【発明が解決しようとする課題】
しかしながら、前記特許文献１〜５記載の発明を用いて電子時計を構成した場合、時計機能として常時オン動作させなければ意味をなさない機能、たとえば、クロノグラフやタイマ、時刻やアラーム時間の修正や設定、タイマのデータセット等の状態のとき等は連続的に表示オンされ、比較的大きな電力が消費される。
このため、頻繁に前記機能の使用やデータ修正等が行われると、電池の消耗が激しく、製品としての電池寿命が短くなりユーザの使い勝手が悪くなるという問題がある。
【０００６】
特に、有機ＥＬやＬＥＤ等の自発光型の表示装置（電流駆動型）は、一般的に、消費電力は輝度に比例して大きくなるため表示輝度が大きいほど消費電力が増大し、さらに、点灯面積が広くなると消費電力も比例して大きくなるという特徴がある。したがって、自発光型の表示装置を用いた電子時計の場合には、時計本来の機能として常時表示をオンにせざるを得ない場合があるため、必然的に消費電力が極めて大きくなるという問題がある。
また、前記問題は、電子時計のみならず他の携帯型電子機器にも当てはまるものである。
【０００７】
本発明は、電子時計などの携帯型電子機器において、視認しやすい表示を行うと共に、低消費電力での表示を可能にすることを課題としている。
【０００８】
【課題を解決するための手段】
本発明によれば、複数のセグメントを表示する表示手段を有する電子時計において、前記複数のセグメント中のいずれかのセグメントを選択する操作手段と、前記操作手段によって選択されたセグメントの表示輝度が他のセグメントよりも大きくなるように前記表示手段を制御する表示輝度制御手段とを備えて成ることを特徴とする携帯型電子機器が提供される。表示輝度制御手段は、操作手段によって選択されたセグメントの表示輝度が他のセグメントよりも大きくなるように表示手段を制御する。
【０００９】
ここで、経過時間を計時する計時手段を有し、前記表示輝度制御手段は、前記操作手段の操作に応答して前記セグメントの輝度が所定値まで大きくなるように前記表示手段を制御した後、前記計時手段が所定時間計時したときに該セグメントの輝度を所定値まで小さくするように前記表示手段を制御するように構成してもよい。
また、前記表示輝度制御手段は、前記操作手段によって選択されたセグメントが点滅表示するように前記表示手段を制御すると共に、前記計時手段による経過時間が増加するにしたがって、前記セグメントの点灯時間比率を小さくするように前記表示手段を制御するように構成してもよい。
また、所定大きさの第１のセグメントと前記第１のセグメントよりも小さな所定大きさの第２のセグメントを選択的に前記表示手段に供給し、前記選択した大きさのセグメントが前記表示手段に表示されるように前記表示手段を制御するセグメント選択制御手段を有し、前記セグメント選択制御手段は、前記操作手段で選択したセグメントを前記第１のセグメントで表示するように前記表示手段を制御すると共に、前記操作手段で選択していないセグメントを前記第２のセグメントで表示するように前記表示手段を制御するように構成してもよい。
【００１０】
また、前記表示輝度制御手段は、前記操作手段の操作に応答して点灯許容時間を表すインジケータを表示するように前記表示手段を制御すると共に、前記計時手段による経過時間が増加するにしたがって前記インジケータによって表示された点灯許容時間を減少するように前記表示手段を制御するように構成してもよい。
また、前記表示手段は前記計時手段で計時した時間を前記セグメントで表示すると共に、前記表示輝度制御手段は、前記操作手段の操作に応答して前記セグメントの輝度が所定値まで大きくなるように前記表示手段を制御した後、前記計時手段が所定時間計時したときに該セグメントの輝度を所定値まで小さくするように前記表示手段を制御するように構成してもよい。
また、前記表示手段は、自発光型の表示装置によって構成してもよい。
尚、前記携帯型電子機器は電子時計であってもよい。
【００１１】
【発明の実施の形態】
図１は、本発明の実施の形態に係る携帯型電子機器のブロック図で、後述する各実施の形態に共通のブロック図であり、クロノグラフ機能を有する電子腕時計の例を示している。
図１において、電子時計は、基準クロック信号を発生する発振手段１０１、前記基準クロック信号を分周して時間の基準となる時間基準信号を出力する分周手段１０２、前記時間基準信号を計数することによって時間を計測し計測時間に対応する時間信号を出力する計数手段１０３、外部操作可能な複数の操作スイッチ等によって構成された外部操作手段１０４、外部操作手段１０４の操作に応答してタイマ動作を行うタイマ手段１０５、表示手段１０８の輝度制御等の各種制御を行う表示制御手段１０６、表示手段１０８を表示駆動する表示駆動手段１０７、複数の表示セグメントを有し自発光型の表示装置によって構成された表示手段１０８、操作スイッチの操作状態等の外部操作手段の操作状態を検出する状態検出手段１０９を備えている。
尚、表示制御手段１０６及び状態検出手段１０９は表示輝度制御手段及びセグメント選択手段を構成し又、タイマ−手段１０５は計時手段を構成している。
【００１２】
図２は、図１の電子時計の外観を示す正面図で、各実施の形態に共通する外観図である。尚、図１と同一部分には同一符号を付している。
図２において、電子時計２０１は、外部から視認可能な自発光型の表示装置１０８、ユーザが外部操作可能な操作スイッチｓｗＡ、ｓｗＢ、ｓｗＣ、ｓｗＤを有している。
表示装置１０８では、時刻表示の場合には、コロンで区切られた４桁のセグメント（時を表す２桁のセグメントと分を表す２桁のセグメント）で表示するように構成されている。
【００１３】
操作スイッチｓｗＡは表示モードの切替等を行う操作スイッチとしての機能を有し、操作スイッチｓｗＢは時刻修正等のデータセットモードへ入る操作スイッチとしての機能を有している。操作スイッチｓｗＣは、データセットモードでは修正対象のセグメントの選択を行うと共に、クロノグラフとして機能するクロノモードではスタート／ストップを行う操作スイッチとしての機能を有している。また、操作スイッチｓｗＤは単発セット機能（操作スイッチｓｗＤを押圧操作する毎にデータが１増加又は減少する機能）や早送りセット機能（操作スイッチｓｗＤを継続して押圧操作している間、自動的にデータを増加又は減少させる機能）を有する操作スイッチである。尚、操作スイッチｓｗＡ、ｓｗＢ、ｓｗＣ、ｓｗＤは、図１の外部操作手段１０４を構成している。
【００１４】
図３は、本発明の第１の実施の形態に係る電子時計の動作を説明するための説明図である。また、図４は、本発明の第１の実施の形態に係る電子時計の処理を示すフローチャートである。本第１の実施の形態は、操作スイッチが操作されたときに、必要なセグメントを他のセグメントに比べて高輝度で表示すると共に、前記必要なセグメントを他のセグメントに比べて大きく表示するものである。
以下、図１〜図４を用いて本第１の実施の形態の動作を説明する。
データセットモードの一種である時刻修正モードに入るために、通常の時刻表示モード（図３の２−Ａ参照）で、操作スイッチｓｗＢを所定操作すると（図４のステップＳ４０１）、状態検出手段１０９が操作スイッチｓｗＢが所定操作された旨を表示制御手段１０６に通知する。表示制御手段１０６は、前記通知に基づいて、操作スイッチｓｗＢが所定操作されたか否かを判断する（ステップＳ４０２）。
【００１５】
表示制御手段１０６は、通常時刻表示モードで操作スイッチｓｗＢが所定操作されたと判断すると、時刻修正に必要なセグメントとその他のセグメントでは、輝度やフォントの大きさを変えるように表示手段１０８を制御する。
即ち、表示制御手段１０６は、分１桁セグメントのフォントを所定の大きな（第１の）フォントに設定する（ステップＳ４０３）と共に、分１桁セグメントの輝度レベルを所定の大きな（第１の）輝度レベル（本実施の形態では最大輝度レベル１０）に設定する（ステップＳ４０４）。次に、表示制御手段１０８は、分１桁セグメント以外のセグメント（１０分の位を表す分１０桁、１桁の時間を表す時１桁、１０時の位を表す時１０桁の各セグメント）のフォントを前記第１のフォントよりも小さな第２のフォントに設定する（ステップＳ４０５）と共に、前記分１桁セグメント以外の前記各セグメントを前記第１の輝度レベルよりも小さな第２の輝度レベル（本実施の形態では輝度レベル３）に設定する（ステップＳ４０６）。
【００１６】
表示制御手段１０６は、前記設定の通りに表示が行われるように表示手段１０８を制御する。これにより、図３に示すように、表示手段１０８では、分１桁セグメントのみが大きな前記第１のフォントで表示されると共に前記第１の輝度レベルで高輝度な表示がなされ、その一方、他のセグメントは小さな前記第２のフォントで表示されると共に前記第２の輝度レベルで低輝度な表示がなされる（２−Ｂ参照）。
したがって、必要なセグメントのみを視認しやすいように表示するように構成しているため、データセットを行う場合には修正セグメントが視認しやすくなるという効果を奏する。また、大きな電力を消費するのは修正セグメントのみであり、他のセグメントは小さな電力しか消費しないため、全体として低消費電力化が可能になる。
【００１７】
この状態で、操作スイッチｓｗＣを操作することによって分１０桁のセグメントを選択すると（ステップＳ４０１）、状態検出手段１０９が操作スイッチｓｗＣが所定操作された旨を表示制御手段１０６に通知する。表示制御手段１０６は、前記通知に基づいて、操作スイッチｓｗＣが所定操作されたか否かを判断する（ステップＳ４０２）。表示制御手段１０６は、ステップＳ４０２において、操作スイッチｓｗＣを操作したと判断すると、分１０桁のセグメントを視認しやすいように表示制御する。
【００１８】
即ち、表示制御手段１０６は、分１０桁セグメントのフォントを前記第１のフォントに設定する（ステップＳ４０７）と共に分１０桁セグメントの輝度レベルを前記第１の輝度レベルに設定する（ステップＳ４０８）。次に、分１０桁セグメント以外のセグメントのフォントを前記第２のフォントに設定する（ステップＳ４０９）と共に、前記分１０桁セグメント以外のセグメントを前記第２の輝度レベルに設定する（ステップＳ４１０）。
これにより、図３の２−Ｃに示すように、分１０桁セグメントのみが大きな第１のフォントで表示されると共に第１の輝度レベルで高輝度な表示がなされ、その一方、他のセグメントは小さな第２のフォントで表示されると共に第２の輝度レベル度低輝度な表示がなされる。したがって、前記同様に、修正セグメントが視認しやすくなると共に、低消費電力化が可能になる。
【００１９】
この状態で、操作スイッチｓｗＣを操作することによって時１桁のセグメントを選択すると（ステップＳ４０１）、状態検出手段１０９が操作スイッチｓｗＣが所定操作された旨を表示制御手段１０６に通知する。表示制御手段１０６は、前記通知に基づいて、操作スイッチｓｗＣが所定操作されたか否かを判断する（ステップＳ４０２）。表示制御手段１０６は、ステップＳ４０２において、操作スイッチｓｗＣを操作したと判断すると、時１桁のセグメントを視認しやすいように表示制御する。
【００２０】
即ち、表示制御手段１０６は、時１桁セグメントのフォントを前記第１のフォントに設定する（ステップＳ４１１）と共に時１桁セグメントの輝度レベルを前記第１の輝度レベルに設定する（ステップＳ４１２）。次に、時１桁セグメント以外のセグメントのフォントを前記第２のフォントに設定する（ステップＳ４１３）と共に、前記時１桁セグメント以外のセグメントを前記第２の輝度レベルに設定する（ステップＳ４１４）。
これにより、時１桁セグメントのみが大きな第１のフォントで表示されると共に第１の輝度レベルで高輝度な表示がなされ、その一方、他のセグメントは小さな第２のフォントで表示されると共に第２の輝度レベル度低輝度な表示がなされる。したがって、前記同様に、修正セグメントが視認しやすくなると共に、低消費電力化が可能になる。
【００２１】
この状態で操作スイッチｓｗＣを更に操作すると、前記同様にして、表示制御手段１０６は、時１０桁セグメントを修正セグメントとして選択し、時１０桁セグメントのみが大きな第１のフォントで表示されると共に第１の輝度レベルで高輝度な表示がなされ、その一方、他のセグメントは小さな第２のフォントで表示されると共に第２の輝度レベル度低輝度な表示がなされる。したがって、前記同様に、修正セグメントが視認しやすくなると共に、低消費電力化が可能になる。
尚、本第１の実施の形態では、必要な部分とその他の部分で輝度及びフォントの大きさの双方を変えるようにしたが、即ち、時刻修正やメッセージセット等のデータセットモードにおいて修正またはセットする桁（修正セグメント）が選択された場合、修正またはセットされる文字の部分の輝度を上げ、その他の部分を輝度を下げるとともに、その他の部分のフォントサイズを小さくするようにしたが、フォントの大きさのみを変える、あるいは、輝度のみを変えるようにしてもよい。
【００２２】
図５は、本発明の第２の実施の形態に係る電子時計の動作を説明するための説明図である。また、図６は、本発明の第２の実施の形態に係る電子時計の処理を示すフローチャートである。本第２の実施の形態は、操作スイッチが操作されたときに、必要なセグメントのみを高輝度で表示し、その後、時間経過とともに該セグメントの輝度を徐々に低下させるように構成している。
以下、図１、図２、図５及び図６を用いて本第２の実施の形態の動作を説明する。
時刻修正やデータ書き換えなどを行うデータセットモードに入るために、時刻表示モード（図５の３−Ａ参照）において、操作スイッチｓｗＢを所定操作すると（図６のステップＳ６０１）、タイマー手段１０５は計時動作を開始し（ステップＳ６０２）、状態検出手段１０９は操作スイッチｓｗＢが所定操作された旨を表示制御手段１０６に通知する。
【００２３】
表示制御手段１０６は、操作スイッチｓｗＢの所定操作に応答して、データセットを行うセグメントを所定周期（本第２の実施の形態では０．５秒周期）で点滅させる（図５の３−Ｂ、３−Ｃ参照）。尚、表示制御手段１０６の記憶手段内にはデータセットを行うセグメントの順序が予め設定されており、前記データセットが複数ある場合には、操作スイッチｓｗＢの所定操作に応答して、最初にデータセットを行うセグメントが選択されて、前記の如く点滅表示が行われる。また、図３の３−Ｂ、３−Ｃにおいては、全てのデータセット可能なセグメントが輝度が小さい第２の輝度レベルで表示される。
【００２４】
次に、表示制御手段１０６は、状態検出手段１０９からの前記通知に基づいて、操作スイッチｓｗＤの操作がデータ単発セットの操作なのか、あるいは、データ早送りセットの操作なのかを判断する（ステップＳ６０３）。
表示制御手段１０６は、ステップＳ６０３において、操作スイッチｓｗＤの操作が単発セットの操作であると判断した場合には、データセットを行うセグメント（本第２の実施の形態では分１桁セグメント）の表示輝度を、前記第２の輝度レベルよりも輝度が大きい第１輝度レベル（本第２の実施の形態では最大輝度レベル１０）に設定するように表示手段１０８を制御する（ステップＳ６０４）（図５の３−Ｄ参照）。これにより、表示手段１０８では、データセットを行うセグメントのみが高い輝度で表示されると共に、他のセグメントは低輝度で表示されるため、データセットを行うべく選択したセグメント（データセットセグメント）が視認しやすくなる。また、大きな電力を消費するのはデータセットセグメントのみであり、他のセグメントは小さな電力しか消費しないため、全体として低消費電力化が可能になる。
【００２５】
この状態で、タイマー手段１０５が、ステップＳ６０１で操作スイッチｓｗＢが操作された時から第１の所定時間（本実施の形態では０．５秒）計時すると（ステップＳ６０５）、表示制御手段１０６はデータセットセグメントの表示輝度レベルを前記第１のレベルよりも小さな前記第２の輝度レベル（本第２の実施の携帯では輝度レベル５）に変更するように表示手段１０８を制御する（ステップＳ６０６）（図５の３−Ｅ参照）。
【００２６】
更に、タイマー手段１０５が、ステップＳ６０１で操作スイッチｓｗＢが操作された時から第２の所定時間（本実施の形態では１．０秒）計時すると（ステップＳ６０７）、表示制御手段１０６はデータセットセグメントの表示輝度レベルを第３の小さな輝度レベル（本第２の実施の携帯では輝度レベル３）に変更するように構成してもよい表示手段１０８を制御する（ステップＳ６０８）（図５の３−Ｆ参照）。
尚、図５の３−Ｅ、３−Ｆの状態で操作スイッチｓｗＤが操作されると、ステップＳ６０１に戻って、分１桁のデータセットセグメントの値が「２」に増加する（３−Ｇ参照）と共に、前記同様にして図５の３−Ｈ、３−Ｉのように動作する。
【００２７】
一方、表示制御手段１０６は、ステップＳ６０３において、操作スイッチｓｗＤの操作がデータ早送りセットの操作であると判断した場合には、操作スイッチｓｗＤのデータ早送りセット操作に応じてデータセットセグメントのデータを順次変更すると共に、該データセットセグメントの表示輝度を前記第１輝度レベルに設定するように表示手段１０８を制御する（ステップＳ６０９）。これにより、表示手段１０８では、前記データセットセグメントのみが高い輝度で表示されると共に、他のセグメントは低輝度で表示されるため、データセットセグメントが視認しやすくなる。また、大きな電力を消費するのはデータセットセグメントのみであり、他のセグメントは小さな電力しか消費しないため、全体として低消費電力化が可能になる。
【００２８】
操作スイッチｓｗＤによる早送りセットが継続して行われている状態で、タイマー手段１０５が、ステップＳ６０１で操作スイッチｓｗＢが操作された時から第３の所定時間（本実施の形態では１０秒）計時すると（ステップＳ６１０）、表示制御手段１０６は、操作スイッチｓｗＤのデータ早送りセット操作に応じたデータ値のデータセットセグメントを順次変更すると共に該データセットセグメントの表示輝度レベルを前記第２の輝度レベル（本第２の実施の形態では輝度レベル５）に変更するように表示手段１０８を制御する（ステップＳ６１１）。
更に、操作スイッチｓｗＤによる早送りセットが継続して行われている状態で、タイマー手段１０５が、ステップＳ６０１で操作スイッチｓｗＢが操作された時から第４の所定時間（本実施の形態では２０秒）計時すると（ステップＳ６１２）、表示制御手段１０６は、操作スイッチｓｗＤのデータ早送りセット操作に応じたデータ値のデータセットセグメントを順次変更すると共に該データセットセグメントの表示輝度レベルを前記第３の輝度レベル（本第２の実施の形態では輝度レベル３）に変更する（ステップＳ６１３）。尚、データ早送りセットが終了したときは、データセットセグメントの表示輝度レベルを前記第１の表示輝度に戻す。以後、前記処理を繰り返す。
【００２９】
このように、本第２の実施の形態では、データセットを行うための操作スイッチが操作されたときからの経過時間を計時するタイマー手段１０５を有し、前記操作スイッチによるデータセット操作が行われたときに、データ変更すべく選択されたセグメントのみの表示輝度を大きくし、タイマー手段１０５で計時される経過時間が大きくなるにしたがって、前記データセットセグメントの表示輝度を徐々に低下させるようにしている。
したがって、本第２の実施の形態によれば、データのセットを行うデータセットセグメントが視認しやすくなると共に、低消費電力化が可能になる。
【００３０】
図７は、本発明の第３の実施の形態に係る電子時計の動作を説明するための説明図で、クロノグラフ機能の動作説明図である。また、図８は、本発明の第３の実施の形態に係る電子時計の処理を示すフローチャートである。本第３の実施の形態は、クロノグラフ機能が動作している間、経過時間表示に必要なセグメントを先ず高輝度で表示し、その後、時間経過とともに該セグメントの輝度を徐々に低下させるように構成している。
以下、図１、図２、図７及び図８を用いて本第３の実施の形態の動作を説明する。
【００３１】
クロノグラフモードに入った状態において（図７の４−Ａ参照）、計時動作を開始するために操作スイッチｓｗＣを所定操作すると（図８のステップＳ８０１）、状態検出手段１０９が操作スイッチｓｗＣが所定操作された旨を表示制御手段１０６に通知する。表示制御手段１０６は、前記通知に基づいて、クロノグラフ機能がスタート操作されたのか、あるいは、ストップ操作がされたのかを判断する（ステップＳ８０２）。
【００３２】
表示制御手段１０５は、ステップＳ８０２において、クロノグラフ機能のスタート操作がされたと判断すると、経過時間を表示する全てのセグメントを輝度の大きな第１の輝度レベル（本第３の実施の形態では輝度レベル１０）で表示するように表示手段１０８を制御する（図７の４−Ｂ参照）と共に、タイマー手段１０５に計時動作を開始させる。即ち、クロノグラフのスタート時には、経過時間表示用の各セグメントは第１の輝度で表示手段１０８に表示される。
次に、表示制御手段１０５は、タイマー手段１０５が９０秒計時したと判断すると（ステップＳ８０３）、経過時間を表示する全てのセグメントの表示輝度を前記第１の輝度レベルよりも小さい第２の輝度レベル（本第３の実施の形態では輝度レベル５）に変更して表示するように表示手段１０８を制御する（ステップＳ８０４）（図７の４−Ｃ参照）。
【００３３】
次に、表示制御手段１０５は、タイマー手段１０５が１８０秒計時したと判断すると（ステップＳ８０５）、経過時間を表示する全てのセグメントの表示輝度を前記第２の輝度レベルよりも小さい第３の輝度レベル（本第３の実施の形態では輝度レベル３）に変更して表示するように表示手段１０８を制御する（ステップＳ８０６）（図７の４−Ｄ参照）。
次に、表示制御手段１０５は、タイマー手段１０５が３００秒計時したと判断すると（ステップＳ８０７）、経過時間を表示する全てのセグメントの表示を消すように表示手段１０８を制御する（ステップＳ８０８）（図７の４−Ｅ参照）。これにより、表示手段１０８では経過時間が表示されなくなるが、タイマー手段１０５は依然として計時動作を継続する。
【００３４】
一方、表示制御手段１０６は、ステップＳ８０２において、クロノグラフ機能がストップ操作されたと判断すると、タイマー手段１０５に計時動作を開始させる（ステップＳ８０９）と共に、経過時間を表示する全てのセグメントの表示輝度を前記第１の輝度レベルに変更表示するように表示手段１０８を制御する（ステップＳ８１０、図７の４−Ｆ参照）。これにより、その時点における経過時間が前記第１の輝度レベルで法事手段１０８に表示される。
この状態で、表示制御手段１０６は、タイマー手段１０５が１０秒計時したと判断すると（ステップＳ８１１）、経過時間を表示する全てのセグメントの表示輝度を前記第２の輝度レベル（本第３の実施の形態では輝度レベル５）に変更して表示するように表示手段１０８を制御する（ステップＳ８１２）。これにより、経過時間が前記第２の輝度レベルで表示手段１０８に表示される。
【００３５】
更にこの状態で時間が経過して、タイマー手段１０５は２０秒計時したと表示制御手段１０６が判断すると（ステップＳ８１３）、経過時間を表示する全てのセグメントの表示輝度を前記第３の輝度レベル（本第３の実施の形態では輝度レベル３）に変更表示するように表示手段１０８を制御する（ステップＳ８１４）。これにより、経過時間が前記第３の輝度レベルで表示される。
更にこの状態で時間が経過して、タイマー手段１０５が３０秒計時したと表示制御手段１０６が判断すると（ステップＳ８１５）、経過時間を表示する全てのセグメントの表示を消すように表示手段１０８を制御する（ステップＳ８０８）。これにより、表示手段１０８では経過時間が表示されなくなる。
【００３６】
以上のように、本第３の実施の形態では、クロノグラフのスタート時に表示全体の輝度を高くし（本実施の形態ではレベル１０）、クロノグラフの計測時間が長くなるにしたがって徐々に表示輝度を下げるようにし（本実施の形態では９０秒ごとに輝度レベル＝５、３）、最終的に３００秒を経過した後は表示を消すようにしている。また、操作スイッチの操作でクロノストップ操作がされた場合、操作スイッチ操作時にスイッチ操作からの時間を計時するタイマー手段１０５をスタートさせ、表示輝度を元に戻す。クロノグラフ機能がストップ状態になってからもその経過時間にしたがって、徐々に輝度を下げるようにしている（本実施の形態では１０秒ごとに輝度レベル＝５、３）。したがって、必要な表示を行うことによって計時中の時間を表示することが可能であり又、省電力化が可能になる。
【００３７】
図９は、本発明の第４の実施の形態に係る電子時計の動作を示すタイミング図であり又、図１０はその処理を示すフローチャートである。本第４の実施の形態は、操作スイッチが操作されたときからの時間が経過するにしたがって、点滅表示しているセグメントの点灯時間比率を短くするように構成している。
以下、図１、図２、図９及び図１０を用いて本第４の実施の形態の動作を説明する。
通常時刻表示モードにおいて、時刻修正等のデータセットを行うために操作スイッチｓｗＢを所定操作すると（図１０のステップＳ１００１）、状態検出手段１０９は、操作スイッチｓｗＢが所定操作された旨を表示制御手段１０６に通知する。表示制御手段１０６は、前記通知に基づいて、データセットモードに移行する操作がなされたか否かを判断する（ステップＳ１００２）。
【００３８】
表示制御手段１０６は、ステップＳ１００２において、操作スイッチｓｗＢの操作によってデータセットモードへの移行操作がなされたと判断すると、タイマー手段１０５に計時動作を開始させる（ステップＳ１００３）と共に、データセット対象のセグメントを所定周波数（本第４の実施の形態では２Ｈｚ）で、且つ輝度の大きな第１のデューティ比（本実施の形態ではデューティ比５：５）で点滅表示するように表示手段１０８を制御する（ステップＳ１００４、図９の修正状態移行時参照）。これにより、時刻修正状態移行時点では、表示表示手段１０８では、データセットセグメントが周波数２Ｈｚ、デューティ比５：５の高い輝度で点滅表示される。
この状態で、表示制御手段１０６は、タイマー手段１０５が１０秒計時したと判断すると（ステップＳ１００５）、データセット対象のセグメントを、前記第１のデューティ比よりも発光輝度が低い第２のデューティ比（本第４の実施の形態では４：６）で点滅表示するように表示手段１０８を制御する（ステップＳ１００６）。これにより、表示表示手段１０８では、データセットの対象となるセグメントが周波数２Ｈｚ、デューティ比４：６で点滅表示される。
【００３９】
次に、表示制御手段１０５は、タイマー手段１０５が２０秒計時したと判断すると（ステップＳ１００７）、データセット対象のセグメントを、前記第２のデューティ比よりも発光輝度が低い第３のデューティ比（本第４の実施の形態では３：７）で点滅表示するように表示手段１０８を制御する（ステップＳ１００８）。これにより、表示表示手段１０８では、データセットの対象となるセグメントが周波数２Ｈｚ、デューティ比３：７で点滅表示される。
以後、前記同様にして、３０秒経過後、６０秒経過後、９０秒経過後と、操作スイッチを操作することなく時間が経過するにしたがって、データセットセグメントを順次、点灯時間比率を小さくして点滅表示する。尚、いずれかの操作スイッチが操作されたときはデューティ比を５：５に戻して高輝度で点滅表示する。
【００４０】
一方、表示制御手段１０６は、ステップＳ１００２において、操作されたスイッチが操作スイッチｓｗＢ以外のスイッチなどの場合のように、操作スイッチｓｗＢによるデータセットモードへの移行操作がなされていないと判断すると、全セグメントを前記第１の輝度レベル（本第４の実施の形態では輝度レベル１０）で表示するように表示手段１０８を制御し（ステップＳ１００９）、表示手段１０８では全セグメントが所定の輝度レベル（例えば輝度レベル１０）で点灯表示される。
以上のようにして、修正対象のセグメントが容易に視認可能になると共に、省電力化が可能になる。
【００４１】
図１１は、本発明の第５の実施の形態に係る電子時計の動作を説明するための説明図であり又、図１２はその処理を示すフローチャートである。本第５の実施の形態は、操作スイッチが操作されたときからの残存表示時間を表す点灯許容時間インジケータを表示するものである。前記点灯許容時間インジケータは、操作スイッチの操作からの時間が経過するにしたがって、残存する表示時間が減少していく様子を表示する。
以下、図１、図２、図１１及び図１２を用いて本第５の実施の形態の動作を説明する。
【００４２】
各セグメントを最大輝度で表示している状態の時刻表示モード（図１１の８−Ａ参照）で、操作スイッチｓｗＢを所定操作すると（図１２のステップＳ１２０１）、状態検出手段１０９が操作スイッチｓｗＢが所定操作された旨を表示制御手段１０６に通知する。表示制御手段１０６は、前記通知に基づいて、操作スイッチｓｗＢが所定操作されたか否かを判断する（ステップＳ１２０２）。
表示制御手段１０６は、時刻表示モードで操作スイッチｓｗＢが所定操作されたと判断すると、タイマー手段１０５に計時動作を開始させる（ステップＳ１２０３）。また、表示制御手段１０６は、時刻修正に必要なセグメントとその他のセグメントでは、輝度やフォントの大きさを変えるように表示手段１０８を制御すると共に、残存許容時間が１００％のインジケータ１１０１を表示するように表示手段１０８を制御する（ステップＳ１２０４）。これにより、表示手段１０８には、修正セグメントが第１の大きい輝度で表示されると共に第１の大きなフォントで表示され、修正セグメント以外のセグメントは前記第１の輝度よりも低い第２の輝度で表示されると共に前記第１のフォントよりも小さな第２のフォントで表示がなされ、又、表示可能な残された時間（残存表示許容時間）が１００％のインジケータ１１０１が表示される（図１１の８−Ｂ参照）。
【００４３】
表示制御手段１０６は、操作スイッチの操作が行われない状態で、タイマー手段１０５が３０秒計時したと判断すると（ステップＳ１２０５）、インジケータ１１０１による残存表示許容時間が６０％になるように表示手段１０８を制御する（ステップＳ１２０６）。これにより、表示手段１０８では、インジケータ１１０１の残存表示許容時間が６０％に表示される（図１１の８−Ｃ参照）。
次に、表示制御手段１０６は、操作スイッチの操作が行われない状態で、タイマー手段１０５が６０秒計時したと判断すると（ステップＳ１２０７）、インジケータ１１０１による残存表示許容時間が３０％になるように表示手段１０８を制御する（ステップＳ１２０８）。これにより、表示手段１０８では、インジケータ１１０１の残存表示許容時間が３０％に表示される（図１１の８−Ｄ参照）。
【００４４】
次に、表示制御手段１０６は、操作スイッチの操作が行われない状態で、タイマー手段１０５が９０秒計時したと判断すると（ステップＳ１２０９）、データセット状態を解除し、インジケータ１１０１の表示を終了して時刻表示モードに戻る（ステップＳ１２１０、図１１の８−Ｅ参照）。
一方、表示制御手段１０６は、ステップ１２０２において、データセット状態の解除操作（非データセット状態）であると判断したときには、それまでインジケータ１１０１を表示していた場合にはインジケータ１１０１の表示を終了するように表示手段１０８を制御する（ステップＳ１２１１）。これにより、表示手段１０８では、インジケータ１１０１の表示が消されることになる。
【００４５】
以上述べたように、本第５の実施の形態では、前記第１の実施の形態の構成に加えて、データセットを行い得る残存時間を棒グラフのようなインジケータ１１０１で表示している。前記インジケータ１１０１は、データセット状態に移行したときに１００％表示を行い、前記タイマー手段１０５で計時した時間データにしたがって％表示を減少させ、０％になった場合やデータセット操作以外の操作が行われた場合には強制的にインジケータ表示状態から抜けるようにしている。したがって、修正セグメントが容易に視認可能になると共に省電力化が可能になるばかりでなく、データセット可能な残存時間をユーザは容易に知ることが可能になる。
尚、前記各実施の形態は電子時計の例で説明したが、携帯電話等の表示手段をを有する他の携帯型電子機器にも適用することが可能である。また、前記各実施の形態において、輝度の変更は、表示駆動するセグメントのデューティ比や駆動電流等を変更することによって行うことが可能である。
【００４６】
【発明の効果】
本発明に係る携帯型電子機器によれば、データセットを行うセグメントが容易に視認可能になると共に、省電力化が可能になる。
また、データセット可能な残存時間をインジケータで表示することにより、データセット可能な残存時間を容易に知ることができる。
【図面の簡単な説明】
【図１】本発明の実施の形態に係る電子時計のブロック図である。
【図２】本発明の実施の形態に係る電子時計の外観図である。
【図３】本発明の第１の実施の形態に係る電子時計の動作を説明するための説明図である。
【図４】本発明の第１の実施の形態に係る電子時計の処理を示すフローチャートである。
【図５】本発明の第２の実施の形態に係る電子時計の動作を説明するための説明図である。
【図６】本発明の第２の実施の形態に係る電子時計の処理を示すフローチャートである。
【図７】本発明の第３の実施の形態に係る電子時計の動作を説明するための説明図である。
【図８】本発明の第３の実施の形態に係る電子時計の処理を示すフローチャートである。
【図９】本発明の第４の実施の形態に係る電子時計の動作を説明するためのタイミング図である。
【図１０】本発明の第４の実施の形態に係る電子時計の処理を示すフローチャートである。
【図１１】本発明の第５の実施の形態に係る電子時計の動作を説明するための説明図である。
【図１２】本発明の第５の実施の形態に係る電子時計の処理を示すフローチャートである。
【符号の説明】
１０１・・・発振手段
１０２・・・分周手段
１０３・・・計数手段
１０４・・・操作手段を構成する外部操作手段
１０５・・・計時手段を構成するタイマー手段
１０６・・・表示輝度制御手段及びセグメント選択制御手段を構成する表示制御手段
１０７・・・表示駆動手段
１０８・・・表示手段
１０９・・・表示輝度制御手段及びセグメント選択制御手段を構成する状態検出手段
２０１・・・電子時計
ｓｗＡ、ｓｗＢ、ｓｗＣ、ｓｗＤ・・・操作手段を構成する操作スイッチ
１１０１・・・インジケータ
【図１】
2004251719.tif 000003
【図２】
2004251719.tif 000004
【図３】
2004251719.tif 000005
【図４】
2004251719.tif 000006
【図５】
2004251719.tif 000007
【図６】
2004251719.tif 000008
【図７】
2004251719.tif 000009
【図８】
2004251719.tif 000010
【図９】
2004251719.tif 000011
【図１０】
2004251719.tif 000012
【図１１】
2004251719.tif 000013
【図１２】
2004251719.tif 000014